(57)【要約】【課題】事務所等のデスクに向かって座り作業をする使用者に、所定の風速で効率よく加湿空気が当たるように吹き出す小型加湿機を提供することを目的とする。【解決手段】風向ルーバー１４が、第１の水平板１５と、第１の水平板１５の下方に間隔をおいて配設した第２の水平板１６と、第１の水平板１５の後部から下方へ向けて形成した背面板１７と、第１の水平板１５および第２の水平板１６を連結する連結板１８とからなり、第１の水平板１５は大きさが吹出口１と同程度で、第２の水平板１６は後端部が第１の水平板１５の前端部と後端部の中間に位置する大きさで、背面板１７は内面側が凹状の湾曲形状としたことにより、吹出空気を、上下方向に広がってしまうことなく、使用者に所定の風速で効率よく当てることができる。【選択図】図４
2012026705.tif 000002
【特許請求の範囲】
【請求項１】
天面に吹出口と、下部に吸込口とを備えた本体ケースの内部に、前記吸込口と前記吹出口を結ぶ通風路を、加湿手段と送風機を介して形成し、前記吹出口には、後部側を回動支点とし前部側を上下方向に回動して、開閉および風向調節自在な風向ルーバーを設け、前記風向ルーバーは、略平板状の第１の水平板と、前記第１の水平板の下方に間隔をおいて配設した略平板状の第２の水平板と、前記第１の水平板の後部から下方へ向けて形成した背面板と、前記第１の水平板と前記第２の水平板を連結する複数枚の連結板とからなり、前記第１の水平板は大きさが前記吹出口と同程度で、前記第２の水平板は後端部が前記第１の水平板の前端部と後端部の中間に位置する大きさであるとともに、前記背面板は内面側が凹状となるように湾曲した形状にしたことを特徴とする小型加湿機。
【請求項２】
前記複数の連結部は、略平板状の複数枚の連結板を左右方向に平行に並設してなることを特徴とする請求項１に記載の小型加湿機。
【請求項３】
前記連結板の後端部は、前記背面板と同位置に位置することを特徴とする請求項２に記載の小型加湿機。
【請求項４】
前記第２の水平板の下面から、前記連結板の下端部を下方へ延設した形状の複数枚の垂直板を設けたことを特徴とする請求項２または３に記載の小型加湿機。
【請求項５】
前記垂直板は、垂直板同士の間隔を、後方より前方を小さくして配設されたことを特徴とする請求項４に記載の小型加湿機。
【請求項６】
前記風向ルーバーの最閉鎖時に、前記第１の水平板と前記天面との間に前記吹出口に通じる隙間が形成されることを特徴とする請求項１〜５のいずれかに記載の小型加湿機。
【請求項７】
前記風向ルーバーの最閉鎖時に、前記背面板近傍に前記吹出口に通じる開口が形成されることを特徴とする請求項１〜６のいずれかに記載の小型加湿機。
【請求項８】
前記背面板は、左右方向の寸法が、前記第１の水平板および前記第２の水平板の左右方向の寸法より短く形成され、前記背面板の側方であって前記第１の水平板と前記第２の水平板の間に、開口を形成したことを特徴とする請求項７に記載の小型加湿機。
【請求項９】
前記複数枚の連結板は、左右方向中央部に位置する連結板を除いて、前記背面板の左右側端部の外方に位置することを特徴とする請求項８に記載の小型加湿機。
【請求項１０】
前記吹出口は外周に、外方へ向かうにしたがい高くなる傾斜面を有していることを特徴とする請求項６〜９のいずれかに記載の小型加湿機。
【発明の詳細な説明】
【技術分野】
【０００１】
本発明は、とくに、使用者の近くに置いて運転するパーソナルユースに適した小型加湿機に関するものである。
【背景技術】
【０００２】
従来より、事務所等の広い空間では、湿度の低い乾燥した時期に大型の加湿機を複数台置いて、適度な加湿をしていたが、設置スペースや水の補給等の運転管理の関係から、設置台数に限度があり、快適な湿度状態にまでは至っていないこともあった。
【０００３】
また、勉強部屋のように、在室者が一箇所に長時間座っている所では、その在室者のまわりのごく限られた空間が快適な湿度状態になれば、目的が達成される。
【０００４】
このようなことから、使用者の周囲を効率よく加湿して、使用者のまわりを快適な湿度状態にする小型加湿機が提案されている（例えば、特許文献１参照）。
【０００５】
特許文献１に記載の加湿器は、外郭を形成する筐体の内部に設けられた送風ファンによって、筐体の前面となる一側面の中央部に設けられた吸い込み口から、その付近の空気を吸い込み、吸い込んだ空気を内蔵された加湿ユニットにより加湿した後、筐体内に同心状に設けられた内部ケースと筐体との間に形成された環状の流路に送り、この流路を通過した加湿空気を筐体の前記一側面の外周側（吸い込み口を囲む形状）に形成された環状の開口部から、前方（使用者が存在する方向）に向けて吹き出す構成となっている。
【０００６】
この構成により、筐体の一側面の外周側に形成された環状の開口部から加湿された空気が吹き出され、いわゆるエアカーテン状の流れを形成し、さらに、中央部の吸い込み口で加湿器の前方の空気を吸い込むことで、エアカーテン状の流れは中央側に引き寄せられるように湾曲する。その結果、エアカーテン状の流れの内側は、外側に比べ高湿度の領域となる。
【０００７】
このようにして、加湿器の前方の限られた空間を重点的に加湿することができる。
【先行技術文献】
【特許文献】
【０００８】
【特許文献１】特開２００６−５７８７７号公報
【発明の概要】
【発明が解決しようとする課題】
【０００９】
このような特許文献１に記載の加湿器では、筐体の一側面の外周側に形成された環状の開口部から吹き出された空気の流れが、前記一側面の中央側に形成された吸込み口に湾曲して引き寄せられて吸込まれ、加湿器とその付近との間を循環するエアカーテン状の流れが形成されるものなので、エアカーテン状の空気流の形成される距離は、限度があって、加湿器のかなり近くとなる。勉強部屋でじっと座り続ける在室者や、ベッドで睡眠中の人のごく近くに置いて運転する場合は、それらの人の顔のまわりが適度に加湿された領域となるが、事務所で席に着いて作業をする人のように、加湿器から若干の距離をおいて座り、多少の動きがある場合には、加湿領域から外れてしまうこととなる。
【００１０】
そこで、本発明は、上記従来の課題を解決して、事務所等のデスクに向かって座り作業をする在室者個人に、所定の風速で効率よく加湿空気が当たるように吹き出す小型加湿機を提供することを目的とする。
【課題を解決するための手段】
【００１１】
そして、この目的を達成するために、本発明の小型加湿機は、本体ケースの天面に備えた吹出口に、後部側を回動支点とし前部側を上下方向に回動して、開閉および風向調節自在な風向ルーバーを設け、前記風向ルーバーは、略平板状の第１の水平板と、前記第１の水平板の下方に間隔をおいて配設した略平板状の第２の水平板と、前記第１の水平板の後部から下方へ向けて形成した背面板と、前記第１の水平板と前記第２の水平板を連結する複数枚の連結板とからなり、前記第１の水平板は大きさが前記吹出口と同程度で、前記第２の水平板は後端部が前記第１の水平板の前端部と後端部の中間に位置する大きさであるとともに、前記背面板は内面側が凹状となるように湾曲した形状にしたものであり、これにより所期の目的を達成するものである。
【発明の効果】
【００１２】
本発明によれば、本体ケースの吹出口からの加湿空気が、上下方向に広がってしまうことなく吹き出され、デスクに向かって座り作業をする人等に所定の風速で効率よく当てることができる、という効果を得ることができる。
【図面の簡単な説明】
【００１３】
【図１】本発明の実施の形態１の小型加湿機を示す斜視図
【図２】同小型加湿機の断面図
【図３】同小型加湿機の分解斜視図
【図４】同小型加湿機における風向ルーバー取付部の前方からの斜視図
【図５】同風向ルーバー取付部の風向ルーバー閉鎖時の断面図
【図６】同風向ルーバーの下面図
【図７】同風向ルーバー取付部の後方からの斜視図
【図８】同風向ルーバー取付部の風向ルーバー開放時の断面図
【発明を実施するための形態】
【００１４】
本発明の請求項１記載の小型加湿機は、天面に吹出口と、下部に吸込口とを備えた本体ケースの内部に、前記吸込口と前記吹出口を結ぶ通風路を、加湿手段と送風機を介して形成し、前記吹出口には、後部側を回動支点とし前部側を上下方向に回動して、開閉および風向調節自在な風向ルーバーを設け、前記風向ルーバーは、略平板状の第１の水平板と、前記第１の水平板の下方に間隔をおいて配設した略平板状の第２の水平板と、前記第１の水平板の後部から下方へ向けて形成した背面板と、前記第１の水平板と前記第２の水平板を連結する複数枚の連結板とからなり、前記第１の水平板は大きさが前記吹出口と同程度で、前記第２の水平板は後端部が前記第１の水平板の前端部と後端部の中間に位置する大きさであるとともに、前記背面板は内面側が凹状となるように湾曲した形状にしたものであり、吹出口から吹き出される加湿空気は、吹出口の後部側の吹出空気が、後方に漏れないように背面板に案内されながら第１の水平板の下面に当たり、また、吹出口の前部側の吹出空気が第２の水平板の下面に当たり、それぞれの吹出空気が各水平板の傾斜に沿って流れ、上下方向に広がってしまうことなく所定の方向に送風され、デスク等に向かって座った人に所定の風速で効率よく当てることができる、という作用効果を奏する。
【００１５】
また、請求項２記載の小型加湿機は、請求項１に記載の小型加湿機において、前記複数の連結部は、略平板状の複数枚の連結板を左右方向に平行に並設してなるものであり、吹出口から吹き出される加湿空気は、連結板によって左右方向に広がってしまうのが規制され、通風方向性が向上して、加湿空気を使用者に所定の風速でより効率よく当てることができる。
【００１６】
また、請求項３記載の小型加湿機は、請求項２に記載の小型加湿機において、前記連結板の後端部は、前記背面板と同位置に位置するものであり、吹出口の後部側から吹き出され、風向ルーバーの奥部から流れてくる加湿空気の左右方向の通風方向性が向上し、加湿空気を人に所定の風速でより効率よく当てることができる。
【００１７】
また、請求項４記載の小型加湿機は、請求項２または３に記載の小型加湿機において、前記第２の水平板の下面から、前記連結板の下端部を下方へ延設した形状の複数枚の垂直板を設けたものであり、吹出口の前部側から吹き出される加湿空気の左右方向の通風方向性が向上し、加湿空気を人に所定の風速でより効率よく当てることができる。
【００１８】
また、請求項５記載の小型加湿機は、請求項４に記載の小型加湿機において、前記垂直板は、垂直板同士の間隔を、後方より前方を小さくして配設されたものであり、吹出口の前部側から吹き出される加湿空気の左右方向の通風方向性がより向上し、加湿空気を人に所定の風速でさらに効率よく当てることができる。
【００１９】
また、請求項６記載の小型加湿機は、請求項１〜５のいずれかに記載の小型加湿機において、前記風向ルーバーの最閉鎖時に、前記第１の水平板と前記天面との間に前記吹出口に通じる隙間が形成されるものであり、運転時に風向ルーバーがもっとも閉じられた状態であっても、吹出口からは若干の通風が行われ、風向ルーバーを開き忘れて運転しても、近くの人に対し若干の通風がなされることとなる。
【００２０】
また、請求項７記載の小型加湿機は、請求項１〜６のいずれかに記載の小型加湿機において、前記風向ルーバーの最閉鎖時に、前記背面板近傍に前記吹出口に通じる開口が形成されるものであり、風向ルーバーの最閉鎖時における通風量が増し、風向ルーバーを開き忘れた場合の通風量が増すこととなる。
【００２１】
また、請求項８記載の小型加湿機は、請求項７に記載の小型加湿機において、前記背面板は、左右方向の寸法が、前記第１の水平板および前記第２の水平板の左右方向の寸法より短く形成され、前記背面板の側方であって前記第１の水平板と前記第２の水平板の間に、開口を形成したものであり、風向ルーバーの最閉鎖時における通風のための通風路が確保され、風向ルーバーを開き忘れた場合の通風量が一定のものとなる。
【００２２】
また、請求項９記載の小型加湿機は、請求項８に記載の小型加湿機において、前記複数枚の連結板は、左右方向中央部に位置する連結板を除いて、前記背面板の左右側端部の外方に位置するものであり、背面板側方の開口が、風向ルーバーの最閉鎖時における通風のための通風路として有効に作用し、開口が、風向ルーバーを開き忘れた場合の通風路として、より効果のあるものとなる。
【００２３】
また、請求項１０記載の小型加湿機は、請求項６〜９のいずれかに記載の小型加湿機において、前記吹出口は外周に、外方へ向かうにしたがい高くなる傾斜面を有しているものであり、傾斜面により、風向ルーバーの最閉鎖時における有効な隙間を形成することができ、かつ、風向ルーバーの開放時に、風向ルーバーは傾斜面と同方向の傾斜となるとともに、背面板側方の開口は傾斜面に近接して塞がれることとなり、傾斜面によって、風向ルーバーを開き忘れた場合の通風量が一定のものとなるとともに、風向ルーバー開放時における通風方向性が向上する。
【００２４】
以下、本発明の実施の形態について、図１〜図８を参照しながら説明する。
【００２５】
（実施の形態１）
本発明の実施の形態１の小型加湿機は、図１〜図３に示すように、天面に吹出口１を形成し、後部側面の下部に吸込口２を形成した略円筒形状の本体ケース３と、本体ケース３内に配設された加湿手段４および送風機５と、本体ケース３の後部側面に保持され、加湿手段４に給水する給水容器６とからなる。
【００２６】
加湿手段４は、給水容器６から給水されて一定水位の水を貯水する貯水容器７と、貯水容器７の水に一部が浸漬される加湿フィルター８とからなり、加湿手段４と送風機５を介して吸込口２と吹出口１とを結ぶ通風路９を本体ケース３内に形成している。
【００２７】
なお、図３において、符号１０は、貯水容器７の上面開口に取り付けられ、加湿フィルター８と給水容器６の下部を嵌入して保持するとともに、貯水容器７からの水漏れを抑制するカバーを示し、また、符号１２は、加湿手段４に着脱自在に取り付けられ、加湿手段４が本体ケース３内に挿入されると、本体ケース３の吸込口２を形成する吸込開口１１を備えた吸込部を示す。
【００２８】
本体ケース３の吹出口１は、図２に示すように、天面より一段低い位置に形成され、その外周側の天面を、外方へ向かうにしたがい高くなる傾斜面１３に形成し、その後部側に回動支点となる支持部を備え、前部側を上下方向に回動して開閉および風向調節自在とした風向ルーバー１４を設けている。
【００２９】
そして、風向ルーバー１４は、図４および図５に示すように、吹出口１をもっとも閉じた最閉鎖時（図５参照）に、天面と同一高さの水平面となる略平板状の第１の水平板１５と、第１の水平板１５の下方に間隔をおいて配設された略平板状の第２の水平板１６と、第１の水平板１５の後部から下方へ向けて形成され、内面側を凹状に湾曲した背面板１７と、第１の水平板１５と第２の水平板１６との間に左右方向に平行に並設されて、第１の水平板１５と第２の水平板１６を連結する略平板状の連結板１８と、第２の水平板１６の下面から、連結板１８の下端部を下方へ延設した形状の複数枚の垂直板１９とからなる。
【００３０】
風向ルーバー１４の上記構成要素について、以下に説明する。
【００３１】
第１の水平板１５は、大きさが吹出口１の大きさと同程度で、吹出口１を上方から覆うように配設されるが、吹出口１の外周に傾斜面１３が形成されているので、風向ルーバー１４の最閉鎖時にも、天面との間に前記吹出口１に通じる隙間２０が形成される。
【００３２】
第２の水平板１６は、最閉鎖時に、吹出口１と略同一高さに位置し、前端部が吹出口１の前部側開口縁に近接し、後部側が第１の水平板１５の前後方向中間部に位置する大きさに形成されている。
【００３３】
図５および図６に示すように、連結板は１８、後端部が背面板１７と同位置に位置し、前端部が第１の水平板１５の前端部近くに位置する大きさに形成されている。
【００３４】
背面板１７は、左右方向の寸法が、第１の水平板１５および第２の水平板１６の左右方向の寸法より短く形成されるとともに、連結板１８が、左右方向中央部に位置する連結板１８を除いて、背面板１７の左右側端部の外方に配設されており、図７に示すように、背面板１７の左右側方に、背面板１７、第１の水平板１５、および連結板１８の各端部によって開口２１が形成されている。
【００３５】
この開口２１は、風向ルーバー１４の開放時に、吹出口１の外周の傾斜面１３によって開口される。
【００３６】
複数枚の垂直板１９は、図６に示すように、垂直板１９同士の間隔を、前方が後方より若干小さくなるように配設されている。
【００３７】
上記構成の小型加湿機は、事務所等でデスクに向かって座り作業する人（以下、使用者という）に対し、デスク上の使用者の近くに置き、風向ルーバー１４の吹出方向を使用者に向く方向に調節して運転される。
【００３８】
ところで、使用者のまわりを快適な湿度状態に加湿するためには、加湿空気が小型加湿機から使用者に届く前に拡散してしまわないように送風することが必要となってくるが、そのために、風速を高めて送風すると、使用者は一定以上の風速の送風を受けると不快に感じるようになるので、使用者が不快に感じない所定の風速で拡散しないように加湿空気を送風することが必要である。
【００３９】
そこで、本実施の形態１の小型加湿機は、上記構成の風向ルーバー１４によって、吹出口１から使用者に向かう吹出空気の拡散を抑えた空気流を形成し、所定の風速で使用者のまわりを快適な湿度状態にすることができる。
【００４０】
すなわち、送風機５によって吸込口２から吸い込まれ、加湿フィルター８を通過して加湿された空気が吹出口１から吹き出されるが、図８に示すように、この吹出空気のうち、矢示線Ａで示す吹出口１の後部側から吹き出される吹出空気は、第２の水平板１６の後方に形成される通風開口２２を通過する。このとき、通風開口２２の後端側の空気流が背面板１７の湾曲形状によって前方向に導かれながら通過する。
【００４１】
そして、通風開口２２を通過した吹出空気は、開放状態にある風向ルーバー１４の第１の水平板１５の下面に当たって、第１の水平板１５の傾く方向、すなわち、使用者の方向に通風方向が転換される。
【００４２】
この吹出空気の流れの過程において、背面板１７の側方の開口２１は、風向ルーバー１４の開放時には、背面板１７が吹出口１外周の傾斜面１３に近接してほぼ閉塞されるので、吹出空気の漏れは発生しない。
【００４３】
また、矢視線Ｂで示す吹出口１の前部側から吹き出される吹出空気は、第２の水平板１６の下面に当たって、後部側の吹出空気の通風方向と同一方向に通風方向が転換される。
【００４４】
上記第２の水平板１６による通風方向転換において、第２の水平板１６の後端部が第１の水平板１５の後端部とほぼ同じ高さに位置するので、前部側の吹出空気は、上昇して拡散する前に通風方向が適切な方向に転換されることとなる。
【００４５】
さらに、吹出口１の外周の傾斜面１３は、開放時の第２の水平板１６の傾斜方向と同方向に傾斜しているので、この部分を流れる空気流においても適切な流れ方向が形成される。
【００４６】
そして、第１の水平板１５に沿って流れる空気流は、複数枚の連結板１８によって前方に向く流れに整流され、左右方向への拡散が抑えられる。
【００４７】
また、第２の水平板１６に沿って流れる空気流は、左右方向に並設され、その間隔を後方より前方を若干小さくした垂直板１９によって、左右方向に拡散しないで前方に向く流れをより遠くまで形成するように整流される。
【００４８】
このように、加湿されて吹出口１から吹き出される吹出空気は、風向ルーバー１４により、使用者に向け、上下方向および左右方向に拡散しないようにして送風することができ、使用者が不快に感じない風速で、使用者のまわりを快適な湿度状態にすることができる。
【００４９】
次に、小型加湿機を停止して風向ルーバー１４を閉じた後、再度運転を開始するとき、風向ルーバー１４を開き忘れて運転した場合について説明する。
【００５０】
図５に示す風向ルーバー１４の最閉鎖時に、第１の水平板１５と本体ケース３の天面との間に吹出口１に通じる隙間２０が形成されるので、風向ルーバー１４を開き忘れて運転しても、矢視線Ｃで示すように、使用者に若干の加湿空気の送風がなされることとなる。さらに、風向ルーバー１４を回動して開放しているときは傾斜面１３によって閉じられている背面板１７側方の開口２１が、風向ルーバー１４の最閉鎖時には開口して、矢示線Ｄで示すように、この開口２１からも通風がなされることとなる。
【００５１】
このように、風向ルーバー１４を開き忘れて運転しても、まったくの無効運転とならずに、開き忘れに気づくまでの間、わずかずつ通風されることとなる。
【産業上の利用可能性】
【００５２】
本発明に係る小型加湿機は、吹出口から吹き出す加湿空気を、強過ぎない所定の風速で、まわりに広がってしまうことなく、使用者に効率よく当てることができるという効果を有し、使用者の近くに置き、使用者に向けて加湿空気を送風する小型の加湿機に有用である。
【符号の説明】
【００５３】
１    吹出口
２    吸込口
３    本体ケース
４    加湿手段
５    送風機
９    通風路
１３  傾斜面
１４  風向ルーバー
１５  第１の水平板
１６  第２の水平板
１７  背面板
１８  連結板
１９  垂直板
２０  隙間
２１  開口
【図１】
2012026705.tif 000003
【図２】
2012026705.tif 000004
【図３】
2012026705.tif 000005
【図４】
2012026705.tif 000006
【図５】
2012026705.tif 000007
【図６】
2012026705.tif 000008
【図７】
2012026705.tif 000009
【図８】
2012026705.tif 000010